Podtech/llm-jp-corpus-v4-ja_patent huggingface dataset:
(57)【要約】【課題】鉄道車両において最も照明のちらつきが目立つのは単発のちらつきであるが、現状の測定器では単発のちらつきに対応していない。そのため目視確認という手法が主体で、定量的な測定方法が無い。【解決手段】上記課題を解決するため、照明のちらつき度合いを輝度計で測定し、人問の目の反応速度内の輝度変化のみをローパスフィルタで取り出すことで、目視と対応のとれた定量的な測定を可能としたものである。これによれば照明のちらつき度合いの定量的な測定が簡便に実施できるようになり、また、ちらつきに対する品質の確保が可能となる。【選択図】  図１
2004317450.tif 000002
【特許請求の範囲】
【請求項１】
鉄道車両における照明器具の輝度を輝度計で測定して４０Ｈｚ以下の出力のみを取り出し、ローパスフィルタを通してグラフ化し、そのグラフから判断すること、を特徴とする鉄道車両の照明器具のちらつき度合いの測定方法。
【発明の詳細な説明】
【０００１】
【発明の属する技術分野】
本発明は、鉄道車両における照明器具のちらつき度合いの測定方法に関する。
【０００２】
【従来の技術】
鉄道車両の照明は補助電源装置から出力された電圧を電源としており、この電圧が変動するとちらつきを生じる。電圧の変動によって照明の光度が時間的に変化するちらつきは「フリッカ」と表現されており、人間の目は４０Ｈｚ程度以下の照度変化に反応するといわれている。
【０００３】
このフリッカの測定について、日本では主として製鋼用アーク炉が引き起こす正弦波状電圧変動を対象とするΔＶ１０フリッカメーターが開発され、使用されてきた。
【０００４】
一方、（非特許文献１）のように、国際電熱連合では総ての種類の電圧変動（短形波，三角波，正弦波状の電圧変動）がフリッカの発生源であるとして、これら総ての電圧変動が引き起こすフリッカの評価を可能とするＵＩＥフリッカメーターを開発し、その仕様をＩＥＣ規格としている。
【０００５】
【非特許文献１】
ＩＥＣ６１０００−４−１５
どちらのフリッカメーターも測定対象としているのは電源電圧の周期的な変動であり、ΔＶ１０フリッカメーターで１分間、ＵＩＥフリッカメーターで最短でも１０分間電圧変動を測定し、測定時間内の総ての電圧変動を総合してフリッカ値を算出している。
【０００６】
これに対し、鉄道車両用の補助電源装置では外部入力変動による出力電圧の変動を抑え、客室灯のちらつきが際立って目立たないことを確認する必要があり、入力電圧が変動したときや、各負荷が投入・停止したときの単発のちらつき度合いを測定できなければならない。
【０００７】
また、前記フリッカメーターは電圧変動を判定するようにしており、これは主として白熱電球用であり、鉄道車両の照明として一般的に使用されている蛍光灯には適用されない。
【０００８】
一方、ちらつき度合いを直接測定する機器として、液品ディスプレイ等の輝度を輝度計を用いて測定し、輝度の変化でフリッカ率を算出するディスプレイテスタ等があるが、このフリッカ率の測定対象は輝度の周期的な変動であるため、これも鉄道車両の照明器具の判定には則していない。
【０００９】
【発明が解決しようとする課題】
鉄道車両において最も照明のちらつきが目立つのは、コンプレッサー，クーラー等の回転機の起動時に発生する励磁電流によって補助電源装置に大容量の負荷が瞬時にかかるときであり、目視では一瞬ちらつくといった現象が起こる。そのため単発のちらつき度合いを測定する必要があるが、現状の測定器では単発のちらつきに対応していない。
【００１０】
以上のことから単発のちらつき度合いについては目視確認という手法が主体で、定量的な測定方法が無い。そのため個人差によってちらつき度合いの受け方が異なり、曖味な判断しかできないというのが現状である。
【００１１】
本発明はこの単発のちらつきを定量的に測定する手法を目的としている。
【００１２】
【課題を解決するための手段】
上記目的は、
鉄道車両における照明器具の輝度を輝度計で測定して４０Ｈｚ以下の出力のみを取り出し、ローパスフィルタを通してグラフ化し、そのグラフから判断すること、によって、鉄道車両の照明器具のちらつき度合いを測定できる。
【００１３】
【発明の実施の形態】
以下、本発明の実施例を図１及び図２により説明する。１は補助電源装置であり、ここで直流電圧を交流電圧（ＡＣ４４０Ｖ，６０Ｈｚ）に変換し、整流装置２を介して各負荷（コンプレッサー３，蛍光灯４他）に電圧を供給する。整流装置２は、各負荷の電源電圧に併せて交流電圧を降圧、又は直流電圧に変換する。次に、輝度計を用いたちらつき度合いの測定について説明する。輝度計５の測定面を蛍光灯管４の表面に密着させ、周囲からの光が入らないように遮光材８で周囲を包む。この状態で、蛍光灯４を輝度計５で測定する。輝度計５の出力はローパスフィルタ６を通し、人間の目の反応速度と対応するように４０Ｈｚ以下の出力のみを取り出し、メモリハイコーダ７に入力させてグラフ化する。
【００１４】
図２に、この状態でコンプレッサーを起動させたときの蛍光灯の輝度変化をそのままグラフ化したもの（図２の左側）と、４０Ｈｚのローパスフィルタ６を通してグラフ化したもの（図２の右側）との比較を示す。
【００１５】
これによれば、ローパスフィルタ６を通していないときの輝度変化のグラフから、蛍光灯が定常時に１２０Ｈｚという目視では反応できない周期で変動していることがわかる。また、コンプレッサー投入時に激しく輝度が変化していることもわかる。しかし目視では反応できない変化も測定してしまうため、目視の反応と対応しにくい。
【００１６】
次に、人間の目の応答時間を考慮して輝度計の出力を４０Ｈｚのローパスフィルタに通したときの輝度変化をみると、コンプレッサーを投入してからの輝度のみ周期的に変動しているのがわかり、目視確認でちらつくという現象と対応した測定ができていることがわかる。
【００１７】
このように蛍光灯の輝度を測定し、人間の目の応答時間と対応している部分のみを取り出すことで単発のちらつきを定量的に測定することができる。
【００１８】
また、本発明の測定方法は鉄道車両のみに限らず、あらゆる照明の単発のちらつきの定量化に適用できるものである。
【００１９】
これによれば、これまで主観的に評価してきた鉄道車両の照明のちらつき度合いを定量的にかつ簡便に測定することができるようになる。なぜ？このことにより、ちらつきに対する評価基準を定量化することも可能となり、電源装置，照明機器のちらつきに対する品質の確保が可能となる。
【図面の簡単な説明】
【図１】欽道車両における補助電源装置と負荷の接続状態の一例と、ちらつき度合いの測定概略図である。
【図２】本発明の一実施例の図１のちらつき度合いの測定結果の比較図である。
【符号の説明】
１…補助電源装置、２…整流装置、３…コンプレッサー、４…蛍光灯、５…輝度計、６…ローパスフィルタ、７…メモリーハイコーダ、８…遮光材。
【図１】
2004317450.tif 000003
【図２】
2004317450.tif 000004
(57)【要約】      （修正有）【課題】時間は永久にあるものではなくて過ぎ去るものと自覚することができる。【解決手段】時刻表示を一日の総時間２４時間から差し引いた時間をカウントダウン形式で表示することによって、必然的に時間は過ぎ去るものだとゆう意識を高めることができる。このことにより、１日の残り時間、分、秒が一目で分かるようにした。又、ボタン操作で１年の残日数、残時間、残分の表示も行う。【選択図】図１
2004317468.tif 000002
【特許請求の範囲】
【請求項１】
通常のデジタル時計と逆で一日２４時間、８６，４００秒を毎日午前０時を境に逆残してカウントダウンされていく、一日分の大きな砂時計のような数字が一秒ごとに減っていくデジタル時計。
【請求項２】
０時（深夜１２時）から２３時に進む時計と逆で２４時からタイマーのようにカウントダウンされていくデジタル時計。
【請求項３】
特定のボタンを押すことによって一年の残日数、残時間、残分が表示される。
【発明の詳細な説明】
【０００１】
【発明の属する技術分野】本発明は電子時計に関し、一日の残り時間、分、秒でひと目でわかるようにした。
【０００２】
【従来の技術】従来の時計は現時間を表示するだけで、付属機能として、ストップウォッチやタイマーなどの機能がついてはいたが、必要な時だけ使われるだけでなかなか使用される機会が少なかった。
【０００３】
【発明が解決しようとする課題】私を含め、時間にルーズな多くの人間が、時間の価値、貴重さを理解するには現時間を表示するだけの従来の時計では困難だった。
毎日８６，４００ドル振り込まれる銀行があって、その日に使われなかった残高は毎日リセットされ、また次の新しい一日には新たに８６，４００ドル振り込まれる。つまりあなたがその日引き出さなかった残高は消されてしまうのです。次の日へは繰り越されません。あなたならどうしますか？もちろん全額引き出して使うでしょう？人は誰でも同じような銀行を持っています。それは時間です。８６，４００ドルとは、一日の秒数、８６，４００秒を表しています。
とゆう譬え話を聞いたことがあります。この話を聞いた直後は時間を大切にしようと思ったが日が経つにつれその決意も薄れていってしまった。
特開平８−２２０２６２の時計のように自分で特定の時間を設定して現時間から設定時間までカウントダウンされる時計はあったが、これだとデイリースケジュールやバス・電車の時間、約束の時間まで時間をやりくりするには便利だったが、根本的に時間は過ぎ去るものとゆうように固定概念を壊すことは困難だった。
【０００４】
【課題を解決するための手段】しかしながら、この時間がどんどんカウントダウンされていく時計を見れば、誰でも嫌でも時間は過ぎ去るモノだと自覚することができ、時間を大切にすることができる。
【０００５】
【発明の実施の形態】基本的にはつけているだけでよいのだが、やはり、現時間がわからないと日常生活に支障をきたすので特定のボタンを押すと現時間が表示される機能をつける。しかし現時間ばかり表示していては本末転倒なので、ボタンを押した瞬間かボタンを押して３秒間だけ表示するようにする。一ヶ月も使用していれば、残時間を見ただけで現時間がわかるようになると思います。
【０００６】
【実施例】一年間の目標がある方のために、更に特定のボタンを押すごとに一年の残日数、残時間、残分数が順次表示される機能をつける。
【０００７】
【発明の効果】全てをカウントダウン形式で表示することにより、時間が進んでいくとゆう従来の固定概念を壊し、時間はどんどん消え去るモノとゆう意識を高めることができる。
【図１】
2004317468.tif 000003
【図２】
2004317468.tif 000004
【手続補正書】
【提出日】平成15年7月14日(2003.7.14)
【手続補正１】
【補正対象書類名】明細書
【補正対象項目名】図面の簡単な説明
【補正方法】変更
【補正の内容】
【図面の簡単な説明】
【図１】・従来の時計の表示と８６，４００ドルＷＡＴＣＨでの表示を比較してみた。
８６，４００ドルＷＡＴＣＨ表示は、２４時間から従来の時計の時刻を差し引いた表示になっている。
【図２】・この時間を商品化した時のボタン配置の一例を挙げた。あくまで一例であって、時としてボタン配置を変更しても差し支えない。
【符号の説明】
・特になし
(57)【要約】【目的】精密射撃では、銃の傾きは弾着点に重大な影響を与える。そのために射手は傾きを一定に保つために腐心してきた。そのために照準補助具としては、従来銃に取り付けて傾きを知る道具は気泡を封じ込めた水準器を利用したものが存在するが、水平であるか否かを知ることしかできず、傾きの度合いを知ることはできなかった。そのため完全な水平状態でなければわずかな傾きでも気泡は移動するため、水平状態を保つことに注意を奪われ、かえって照準動作を妨げることが多かった。本発明は、銃に垂直を表示するものを取り付けることで銃の傾きを知る事を目的とするものである。【構成】本発明は、下方に錘をつけ取り付け銃身と平行に設けた軸を中心に自由に回転する下方に錘をつけた針、もしくは円形に整形したチューブに気泡を閉じこめたものなど、常に垂直を表示するものを銃に装着し銃の傾きを知ることができるように手段を講じたものである。【選択図】  図２
2004317099.tif 000002
【特許請求の範囲】
【請求項１】
地面に対して垂直を表示するものを取り付けることで銃の傾きの度合いを示す照準補助具
【発明の詳細な説明】
【発明の属する技術分野】
本発明は、常に垂直を表示するものを銃に取り付け、銃の傾きを知ることができる照準補助具に関する。
【従来の技術】
精密射撃では、銃の傾きは弾着点に重大な影響を与える。そのために射手は傾きを一定に保つために腐心してきた。そのために照準補助具としては、従来銃に取り付けて傾きを知る道具は気泡を封じ込めた水準器を利用したものが存在する。しかし、この器具はその構造上、図１のように水平であるか否かを知ることしかできず、傾きの度合いを知ることはできなかった。そのため完全な水平状態でなければわずかな傾きでも気泡は移動するため、水平状態を保つことに注意を奪われ、かえって照準動作を妨げることが多かった。また、風向き等によっては、わずかに銃を傾けて弾着を補正するテクニックがあるが、従来の水準器では、傾きの度合いに関わらず気泡が移動し、その度合いを調節することは困難だった。
【発明が解決しようとする課題】
本発明は、銃に垂直を表示するものを取り付けることで銃の傾きを知る事を目的とするものである。
【課題を解決するための手段】
本発明は、下方に錘を取り付け、銃身と平行に設けた軸を中心に自由に回転する針、もしくは円形に整形したチューブに気泡を閉じこめたものなど、常に垂直を表示するものを銃に装着し銃の傾きを知ることができるように手段を講じたものである。
【発明の実施の形態】
以下図面に示す実施の形態について説明する。
本発明は、図２のように、銃身▲５▼と平行に設けた軸▲７▼に自由に回転する下方に錘を付けた針▲６▼を取り付けるか、図３のように円形に整形し気泡を閉じこめた液体入りのチューブ▲８▼を銃身▲５▼に対して直角に取り付けたものである。
これを照準動作時に見える位置に取り付ければ、図４、図５のように、照準しながら垂直方向と銃の傾きの度合いを知ることが可能になる。図６の様に取り付け軸▲７▼の位置を回転もしくは移動させて中心が一致するようにするか、図７の様に自由に設定できるマーク▲１０▼を取り付けそれに気泡を合わせる様にすれば、銃の傾きを正確に知り、一定に保つことが可能になる。マークは、図５のように既存の照準具▲４▼の一部をマークとして利用することもできるし、図７のように、自由に設定できるマーク▲１０▼を器具に取り付けてもよい。
【発明の効果】
本発明によれば、銃の傾きの度合いを正確につかみ、傾斜を一定に保つことが可能になる。
【図面の簡単な説明】
【図１】図１は、従来の照準補助具である水準器を使用中の様子を表す正面図である。
【図２】図２は、本発明を表す正面図である。
【図３】図３は、本発明のバリエーションを表す正面図である。
【図４】図４は、本発明を使用中の様子を表す正面図である。
【図５】図５は、本発明のバリエーションを使用中の様子を表す正面図である。
【図６】図６は、本発明のバリエーションを表す正面図である。
【図７】図７は、本発明のバリエーションを表す正面図である。
【符号の説明】
▲１▼  水準線
▲２▼  チューブ
▲３▼  気泡
▲４▼  照準具
▲５▼  銃身
▲６▼  下方に錘のついた回転針
▲７▼  ▲５▼の回転針の中心
▲８▼  円形に成型した液体入りチューブ
▲９▼  気泡
▲１０▼  マーク
【図１】
2004317099.tif 000003
【図２】
2004317099.tif 000004
【図３】
2004317099.tif 000005
【図４】
2004317099.tif 000006
【図５】
2004317099.tif 000007
【図６】
2004317099.tif 000008
【図７】
2004317099.tif 000009
(57)【要約】【課題】配電のない場所に設置した農業ハウスの換気操作を低コストで自動化するために、バッテリー駆動の自動換気装置用のコントローラーを提供する。【解決手段】発振による誤動作を電気的に防止したラッチングリレー１をコントローラーの電気回路に組み入れて、モーターの駆動と回転方向を制御するとともに待機時の消費電力をゼロにする。【選択図】  図１
2004317098.tif 000002
【特許請求の範囲】
【請求項１】
待機時消費電力をゼロにする農業ハウス自動換気装置用のコントローラー。
【発明の詳細な説明】
【０００１】
【発明の属する技術分野】
本発明はバッテリーを動力源とする農業ハウスの自動換気システムを省エネルギーかつ低コストで作動させるために、ハウス側窓の換気用フィルムの開閉動作時以外は電力消費量をゼロにする電気回路を組み込んだ制御装置に
関する。
【０００２】
【従来の技術】
従来は換気用フィルムの開閉上限または下限における待機時に電力消費量をゼロにするコントローラーはなかった。このため、商用電力が供給されていない農地に設置されているハウスの換気（温度調節）は側窓のフイルム巻き上げ装置を人力で操作するのが一般であった。なお、既知の電気回路や特注部品を用いた自動換気装置は試作可能であるが、試作経費も設置後の維持費もかなり高価につくために特殊用途以外には用いられない。
【０００３】
【発明が解決しようとする課題】
一般家庭用または動力用商用電力の供給がない場所に設置した農業ハウスの換気は人力操作で行われており、バッテリー方式による換気の自動化を実用可能な低コストで実現することは困難であった。本発明は既設のフイルム巻取り装置の開閉を自動化するためのコントローラーで、これによって農作物施設栽培の軽労化、低コスト化および生産品の高品質化に寄与する。
【０００４】
【課題を解決するための手段】
農業ハウスの側窓フイルムを巻き上げて換気する既存のフイルム巻き取り装置１０を自動的に動作させるために、バッテリー４を動力源とするモータ６を室温に応じて制御するコントローラーを用いた。コントローラーの主な機能は、室温に反応してフイルムを巻き上げる時と巻き戻す時にモータの回転方向を逆転させること、及びフィルム開閉動作が上下限に達した瞬間に電流を切断して待機時の電力消費をゼロにすることの二つである。この機能を実現するために、電気回路の主要部品としてバッテリー（１２Ｖ）４、リミットスイッチ３、ラチケットリレー１、サーモスタット２及び減速装置付きモーター（１２Ｖ用）６、などを組み入れたコントローラーを作成した。
なお、バッテリー及び減速装置付きモーターは廃車のリサイクル品で十分目的を達成する。バッテリーは一回の充電で数ヶ月間可動する。バッテリーの蓄電量が一定以下になったときに充電機を用いて別途充電するか、小型の太陽電池５を本装置に組み入れて恒常的に充電する。
【０００５】
【発明の実施の形態】
以下、本発明の実施の形態について説明する。
（イ）  図１に示した回路によりフィルムの開閉に応じてモーターが逆回転するように電流方向を制御するとともに、開閉動作時以外は通電を自動的に遮断する。
（ロ）  直流用ラチケットリレーのセットコイルに並列に電解コンデンサー
８を接続し、発振によるリレーの不安定な動作を防止する。
（ハ）  サーモスタット２は、感度の低い、例えば±２℃程度の単相双極タイプ、または高温、例えば３０℃以上で、低温、例えば２０℃以下でそれぞれ通電する２個のバイメタルのセット何れも利用可能である。
（ニ）  フイルム巻取り装置１０を利用せずに、減速比の高いモーターをフイルム軸に直結することが可能である。
（ホ）  バッテリー、モーター、ブレーカー及び電解コンデンサーなどコントローラー部品の規格・容量は農業ハウスの大きさに応じて必要とされる自動換気装置の出力を基に決定する。
【０００６】
【発明の効果】
一般家庭用の電力又は動力用の商用電力を利用できない場所に設置した農業ハウスの自動換気を可能にし、換気作業の軽労化、低コスト化と作物の生育環境を改善することによって生産物の高品質化が達成できる。
【図面の簡単な説明】
【図１】本発明の電気回路図である。
【図２】本発明を用いた自動換気システムの使用状態を示す実体図である。
【図３】本発明であるコントローラーの実施例を示す図である。
【符号の説明】
１  ラッチングリレー
２  サーモスタット
３  リミットスイッチ
４  バッテリー
５  太陽電池
６  モーター
７  ブレーカー
８  電解コンデンサー
９  農業ハウス
１０  フィルム巻取り装置
１１  コントローラー
１２  フィルム
１３  ２の感温部
１４  ５の電線
１５  ２のダイヤル
【図１】
2004317098.tif 000003
【図２】
2004317098.tif 000004
【図３】
2004317098.tif 000005
(57)【要約】【課題】安価な小型の励磁回路を供すると共に、汎用品を用いて交流励磁を可能にする。【解決手段】差動型のラインドライバーを用い出力コントロール信号と、この半分の時間のパルスを入力し正負のパルスを出力する事で、直流成分の無い励磁を可能とする。また。ラインドライバーのイネーブル時間の半分ずつを正、負の信号となし、この両者の時間を一つのレジスターの設定で可能とする。さらに、アップダウンカウンターと比較器を設け、起動信号でカウントを行い比較器の入力と同一になった信号でＡ／Ｄコンバータへのサンプリング信号を出力し、カウントの向きを変え元に戻ったら停止し、このカウント中の信号をラインドライバーのイネーブル信号とし、カウントの向きをラインドライバーの入力信号とする。【選択図】  図１
2004317292.tif 000002
【特許請求の範囲】
【請求項１】
差動型のラインドライバーを用い出力コントロール信号と、この半分の時間のパルスを入力し正負のパルスを出力する事で、直流成分の無い励磁を可能とした磁気検出器のパルス励磁回路。
【請求項２】
ラインドライバーのイネーブル時間の半分ずつを正、負の信号となし、この両者の時間を一つのレジスターの設定で可能としたパルス励磁回路。
【請求項３】
アップダウンカウンターと比較器を設け、起動信号でカウントを行い比較器の入力と同一になった信号でＡ／Ｄコンバータへのサンプリング信号を出力し、カウントの向きを変え元に戻ったら停止し、このカウント中の信号をラインドライバーのイネーブル信号とし、カウントの向きをラインドライバーの入力信号とするパルス励磁回路。
【発明の詳細な説明】
【０００１】
【発明の属する技術分野】
本願はＦＡ、ロボット等に使用する、レゾルバに代表される磁気検出器の励磁方式に関する。
【０００２】
【従来の技術】
励磁回路はトランジスタ等で組んでいた為に部品点数が多く、又直流励磁しか行われていなかった。更に励磁時間も固定で有った。
図４はパルス励磁の磁気検出器のモデルである。矢印はコイルを表している。固定側にはＳｉｎとＣｏｓのコイルが電気角で９０度ずれて設置されている。励磁機は可動子で有り、図ではθだけ角度がずれている。
ここで励磁機コイルに図５の様に励磁パルスを入力させると、検出器自体は乗算型パルストランスであり、即ちＳｉｎθ、Ｃｏｓθを乗じた値Ｖｃ及びＶｓが出力される。これをＡ／Ｄ変換器でＣＰＵが読み込み演算でθを求めれば良い。しかしながら励磁パルスが方方向だけだと、ＤＣ成分、電荷が溜まり、正確な検出が出来なくなる（例えば、特許文献１参照）。
【０００３】
【特許文献１】特開平０９−０２８０６９号公報
【０００４】
【発明が解決しようとする課題】
安価な小型の励磁回路を供すると共に、汎用品を用いて交流励磁を可能にする。
【０００５】
【課題を解決するための手段】
ラインドライバー等の汎用素子を用い、これの入力に適切な信号を送る回路をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）で作成し、励磁時間をパラメータで合わせられる様にし、小型の交流励磁を可能する。
【０００６】
【発明の実施の形態】
図１の様に交流での励磁が要求される。交流励磁には通常ＢＴＬ接続の回路を組まなくてはならないが、回路が煩雑になる。それを回避するにはラインドライバーを用いて適切な制御信号を入力すれば良い、この回路には更にパルスの幅のパラメータ変更、Ａ／Ｄコンバータの前に付くサンプルホールド回路の制御信号をも同時に付加する事が出来る。
図２が本願の回路でありラインドライバーの入力にＵ／Ｄ信号をトライステート制御にＤＴ信号が接続されている、一点鎖線の左側がＡＳＩＣの内部回路となる。パルスの幅はＨＣ６８８の右側からＮとして設定されている。
以下回路の動作を図３のタイミングと合わせて解説する。ＯＵＴ信号が来るとＶＨＣ１０９はこれをサンプリングしＵ／Ｄ信号をＨにしカウンターＦ１６９を０からカウントアップ状態にし、カウンターは次のクロックでカウントアップし１となる、カウンターは１になるとＤＴ信号がＨになり、ラインドライバーの出力をイネーブルにする、更に２，３，とカウントアップし４になるとコンパレータの設定値Ｎ＝４と同じになり／ｓａｍｐを出力するこれは前にも述べたサンプルホールド回路の信号となる、／ｓａｍｐは同時にＶＨＣ１０９をクリアーしＵ／Ｄ信号をＬにする、Ｌになる事でカウンターはダウンカウントとなり、クロックでダウンカウントし０で停止する。この間ラインドライバーの入力はＬで有り出力は今までと逆になる、即ちコイルには図３の様な電圧が印可される、即ち交流で励磁された事になり、正の電圧の印加の最後でＳｉｎθ、Ｃｏｓθの検出電圧がホールドされる事になる、パルス幅も設定値Ｎで正負対象な時間が確保される。
【０００７】
【発明の効果】
安価な汎用のラインドライバーを用いて、パルス幅を任意に設定でき、交流励磁による磁気検出器が構成出来る。
【図面の簡単な説明】
【図１】本発明の交流での励磁
【図２】本発明の回路図
【図３】本発明の回路の動作図
【図４】従来のパルス励磁の磁気検出器のモデルの図
【図５】従来の出力
【符号の説明】
１  ラインドライバー
【図１】
2004317292.tif 000003
【図２】
2004317292.tif 000004
【図３】
2004317292.tif 000005
【図４】
2004317292.tif 000006
【図５】
2004317292.tif 000007
(57)【要約】【課題】ドライバーの１打も、パットの１打も１打には変わりなく、今までゴルファーを悩ませてきた。グリーン上に上がると、緩やかな傾斜も平坦に見えたり、右傾斜だと思って打ったら、左にきれてしまったというように、グリーン上の複雑な傾斜や、起伏を正確に把握することは、それほどに難しい。この課題を解決するための技術や方法について明確な答えはなく、経験と勘に頼るしかない。プロ、アマを問わず傾斜や起伏を的確に判別することは、最大の課題である。【解決手段】この傾斜認識装置を使えば封入された色付液体の水平な液面を通して、傾斜や起伏を容易に判別することができる。またレンズに度を入れることにより、どんな視力の人にも対応できる。【選択図】    図８
2004317124.tif 000002
【特許請求の範囲】
【請求項１】
表裏両面の透明体の間に液面を生ずるように液体を封入したことを特長とする地面の傾斜認識装置。
【請求項２】
メガネタイプ、装着タイプは、その液面が眼球の中心に位置するよう液体の量を設定し封入した装置。
【請求項３】
プレートタイプは、内部空間の６割前後の液体を封入した装置。
【請求項４】
請求項２、及び３は、色付きの液体を封入した装置。
【発明の詳細な説明】
【０００１】
【発明が属する技術分野】
本発明は、地面（ゴルフ場のグリーン）の傾斜や起伏を判別するためのメガネ又はプレートに関するもの。
【０００２】
【従来の技術】
例えば、特開平０３−８７７１７号は、サングラスのレンズに直接ラインを描き、そのラインを目標に向けてボールを真っ直ぐに打つためのもので、水平で平坦な場所では有効かもしれないが、複雑な傾斜や起伏のあるグリーン上では、有効とはいえない。また形態もメガネに限定されているが、この発明はメガネに限定したものではない。
【０００３】
【発明が解決しようとする課題】
ゴルファーにとって、グリーン上の傾斜や複雑な起伏を正確に把握することは、スコアアップに欠かすことのできない大きな要素となる。しかし、この問題を解決するための技術や方法について、ゴルフの解説書でも明確な答えはなく、経験と勘に頼るしかない。プロ、アマを問わず傾斜や起伏を的確に判別することは至難の業であり最大の課題である。
【０００４】
【課題を解決するための手段】
グリーン上の傾斜や、起伏を判別するための基準となる水平線を、如何に簡単に手に入れることができるかが、この課題を解決するポイントとなる。レンズ又はプレートの内部空間に、色付きの液体を液面が生ずるように封入したこの装置は、どんな状態においても、常に水平を保つ液体の性質を利用することにより、この課題を解決した。
【０００５】
【発明の実施の形態】
プレートタイプは、図３に示すように透明な材質の２枚の板Ａ，Ｃと枠Ｂにより図１を作成し、図２のように内部に６割前後の液体Ｌを封入する。色濃度は傾斜全体を捉えたほうが判別しやすいため、対象物が透視可能な濃さとする。また、サイズはゴルフウエアーのポッケトに収まる大きさで、長さ１００ミリ、幅２５ミリ、厚さ５ミリメートル程度とする。装着タイプは、図６の無度レンズＥ２枚と枠Ｇによりできる空間Ｋに、液体Ｌを封入したレンズを図７に示すフレームＩに装着する。普段使用しているメガネに装着しやすい形状とし、装着するためのフックＦを設ける。メガネに装着して使用するため、図６のレンズには度を入れない。メガネタイプは、図４の度付きレンズＤと、無度レンズＥによりできる空間Ｋに、液体Ｌを封入したレンズを使用し、眼の悪い人に対応できるようにする。また、視力の正常な人には、図６の無度レンズＥ２枚と枠Ｇによりできる空間Ｋに、液体Ｌを封入したレンズを使用したメガネにする。装着タイプ、及びメガネタイプの液体Ｌの量は、図４に示すように液面が眼球の中心Ｈに位置するよう設定して封入することとし、空間Ｋと液体Ｌがくっきり二分されるよう、透視できない色濃度を有する液体とする。使用する液体Ｌは、いずれも空間Ｋの壁面に付着しない性質を有するものとする。また、図７．８のレンズを支えるフレームのデザイン、及び装置内に封入する液体Ｌの色に関しては、機能を損なわない限り、これを限定するものではない。
【０００６】
【発明の効果】
以上説明をしたように、この傾斜認識装置は、初心者、上級者を問わず誰でもが、経験や特別な技術を必要とせず、容易に傾斜や起伏を判別することができ、スコアアップに役立つ。また、使用しているうちに、傾斜や起伏に対する感覚を養うことができる。使用にあたっては、自分の見やすい姿勢で見ることができるという利点がある。
【図面の簡単な説明】
【図１】プレートタイプの外観図
【図２】プレートタイプの断面図
【図３】プレートタイプの分解図
【図４】レンズの断面図
【図５】レンズの分解図
【図６】レンズの断面図
【図７】装着タイプ外観図
【図８】メガネタイプ外観図
【符号の説明】
Ａ  ・・・透明な材質の板
Ｂ  ・・・液体を封入するための中枠
Ｃ  ・・・透明な材質の板
Ｄ  ・・・度付きレンズ
Ｅ  ・・・無度レンズ
Ｆ  ・・・装着用フック
Ｇ  ・・・液体を封入するための中枠
Ｈ  ・・・液面の位置
Ｋ・・・  空間
Ｌ  ・・・色付き液体
Ｘ  Ｙ  Ｚ・・・切断面
【図１】
2004317124.tif 000003
【図２】
2004317124.tif 000004
【図３】
2004317124.tif 000005
【図４】
2004317124.tif 000006
【図５】
2004317124.tif 000007
【図６】
2004317124.tif 000008
【図７】
2004317124.tif 000009
【図８】
2004317124.tif 000010
(57)【要約】【課題】ペットボトルホルダーの周囲にジェル状冷却剤をつけた冷却剤付きペットボトルホルダーを提供する。【解決手段】布或いは透明材料を使用したペットボトルホルダー（１）の周囲に透明材料を使用した管（２）に入れたジェル状冷却剤材（３）を巻き付け縫製する。【選択図】    図１
2004317101.tif 000002
【特許請求の範囲】
【請求項１】
ペットボトルホルダー（１）の周りにジェル状冷却剤（２）を付けた冷却剤入りペットボトルホルダー
【発明の詳細な説明】
【０００１】
【発明の属する技術分野】
この発明は、ペットボトルホルダーの周りにジェル状冷却剤を付けた冷却剤入りペットボトルホルダーである。
【０００２】
【従来の技術】
従来の保冷ペットボトルホルダーは布製のホルダーの内側にアルミ泊を貼っていた。
【０００３】
【発明が解決しようとする課題】
これはつぎのような欠点があった。
布製のため不透明であるから中の飲料種類が判断できない。また、飲み残したペットボトルを再度冷蔵するのにホルダーから取り出して冷蔵しなければならない。本発明は、以上のような欠点をなくすためになされたものである。
【０００４】
【発明の実施の形態】
布或いは透明材料を使用したペットボトルホルダー（１）の周囲に透明材料を使用した管（２）に入れたジェル状冷却剤材（３）を巻き付け縫製する。
【０００５】
【発明の効果】
ジェル状冷却剤を使用しているのでペットボトルホルダーを冷蔵することによりより保冷力を高めることができる。ペットボトルホルダーに透明材料を使用した場合には、飲み物の種類や残料がすぐわかる。視覚的にも涼し気な効果を出せる。
【図面の簡単な説明】
【図１】本発明の斜視図である。
【図２】本発明の本体展開図である。
【符号の説明】
１    ペットボトルホルダー
２    管
３    ジェル状冷却剤
４    ペットボトル
【図１】
2004317101.tif 000003
【図２】
2004317101.tif 000004
(57)【要約】［課題］　根強い人気の腕相撲だがあくまでも個人戦であった。多くの人が参加できるようにし、団体戦の楽しさのエッセンスを取り入れる。［解決手段］メインチェーン▲１▼からサブチェーン▲２▼を分岐させとって▲４▼を一人一つ使用し複数人での団体戦を可能にする。【選択図】　図１
2004097722.tif 000002
【特許請求の範囲】
【請求項１】
電車等の吊り革のようなものを複数つなぐことで１対１だった腕相撲を複数人で可能にするアイテム
【発明の詳細な説明】
【０００１】
［発明の属する技術分野］
この発明は１対１だった腕相撲を団体戦としても行うことを可能にしたアイテム
【０００２】
［従来の技術］
今までは１対１で直接手をにぎるスタイルの腕相撲しかなかった
【０００３】
［発明の実地の形態］
イ）基本的に一本のメインチェーン▲１▼から複数本のサブチェーン▲２▼を分岐させる
ロ）分岐点ではリング▲３▼を使用している
ハ）その先にとって▲４▼を取り付けている
【０００４】
［発明の効果］
従来の腕相撲は個人戦であったが、本アイテムにより団体戦としての楽しさ、多くの人が参加できるようになる
【図面の簡単な説明】
【図１】本発明の正面図である
【図２】略図
【符号の説明】▲１▼メインチェーン
▲２▼サブチェーン
▲３▼リング
▲４▼とって
【図１】
2004097722.tif 000003
【図２】
2004097722.tif 000004
(57)【要約】【課題】ソフトコンタクトレンズＬを手で触れることなく、しかも脱却具が直接、眼に触れずに容易に脱却できるソフトコンタクトレンズ脱却具を提供すること。【解決手段】弾力性のあるソフトコンタクトレンズ脱却具であって、上下一対の押し当て部を上下のまぶたに添えて、つまみ部の操作で上下のまぶたを開閉させて、上下のまぶたの先端でソフトコンタクトレンズの外周部を中心に向って移動させることで、レンズの中央部分を眼から浮かせて、レンズを挟んで外す。【選択図】　　図１
2004097721.tif 000002
【特許請求の範囲】
【請求項１】
ソフトコンタクトレンズを、目から取り外す用具であって、
まぶたの上から、ソフトコンタクトレンズを摘み出すことを特徴とする、ソフトコンタクトレンズ脱却具。
【発明の詳細な説明】
【０００１】
【発明の属する技術分野】
この考案は、ソフトコンタクトレンズの脱却具に関する。
【０００２】
【従来の技術】
ソフトコンタクトレンズを眼から取り外す方法としては、一般に行なわれている指でソフトコンタクトレンズを左右方向からつまんで取り外す方法と、指をまぶたに添えて、上下のまぶたの端でソフトコンタクトレンズを挟んで、押し出すようにして外す方法がある。また、脱却具としては、指の代わりにソフトコンタクトレンズを左右方向から直接つまんで取り外す方法の脱却具がある。
【０００３】
【発明が解決しようとする課題】
ところで、指でソフトコンタクトレンズをつまんで取り外す方法では、指が直接眼に触れるため、まず爪を短く切り、指を予め洗浄して油脂分などを取り除く必要がある。そしてソフトコンタクトレンズをつまむ際、爪を立てたり、爪が眼に触れると眼を傷つけたり、ソフトコンタクトレンズを傷つけ破損する危険があり不便である。また、指の代わりにソフトコンタクトレンズを直接つまんで取り外す脱却具を使用した場合、角膜上にあるソフトコンタクトレンズをつまむ時に恐怖感を覚える。そして脱却具が直接、眼に触れて擦る場合もあり、危険である。
【０００４】
一方、指をまぶたに添えて、上下のまぶたの端でソフトコンタクトレンズを挟んで、押し出すようにして外す方法は、眼や角膜上のソフトコンタクトレンズに指が直接触れないので、より安全な方法であるが次のような課題がある。
まぶたの端を一度ソフトコンタクトレンズの外周以上まで広げて、上下のまぶたの端でソフトコンタクトレンズの端面を押して外すが、図５に示すように、まぶた１のまぶた先端１ａが、ソフトコンタクトレンズＬの端面Ｌａを乗り上げずに押すためには、まぶた先端１ａ付近を指２を用いて適当な力で押圧しながらまぶた１を閉じる必要がある。この時、まぶた１に添える指２が眼３に触りやすく、爪が伸びていると眼３を傷つけたり、ソフトコンタクトレンズＬを傷つけ破損する危険がある。
【０００５】
そこで、本考案は、ソフトコンタクトレンズＬを手で触れることなく、しかも脱却具が直接、眼に触れずに容易に脱却できるソフトコンタクトレンズ脱却具を提供することを課題とする。
【０００６】
【課題を解決するための手段】
上記の課題を解決するために、弾力性のあるソフトコンタクトレンズ脱却具であって、上下一対の押し当て部を上下のまぶたに添えて、つまみ部の操作で上下のまぶたを開閉させて、上下のまぶたの先端でソフトコンタクトレンズの外周部を中心に向って移動させることで、レンズの中央部分を眼から浮かせて、レンズを挟んで外せることを特徴とする。
【０００７】
【発明の実施の形態】
【実施例】
実施例について図を参照にして説明すると、図１が本考案のソフトコンタクトレンズ脱却具４であり屈曲が可能な、つまみ部４ａと上下一対の押し当て部４ｂから成る。
【０００８】
図２は、本考案のソフトコンタクトレンズ脱却具４の無負荷状態の断面図であり、つまみ部４ａをつまんでいない無負荷の状態を示している。ここで、本考案のソフトコンタクトレンズ脱却具は、実施例ではウレタンゴムを使用したが、柔軟性のある材料、たとえばシリコンゴム、酢酸ビニール、天然ゴムなどを使用することができる。
【０００９】
図３は、本考案のソフトコンタクトレンズ脱却具の側面図であり、つまみ部４ａをつまんで押し当て部４ｂを、閉じたまぶた１に添えた状態を示している。
【００１０】
次に、このソフトコンタクトレンズ脱却具の使用方法及び作用を説明する。まず、図３に示すようにソフトコンタクトレンズ脱却具４のつまみ部４ａをつまんで、上下の押し当て部４ｂを閉ざし、閉じたまぶた１に軽く添える。次に図２に示すように、つまみ部４ａをつまむ力を弱めて、押し当て部４ｂを無負荷状態まで開く。この時、まぶた先端１ａがソフトコンタクトレンズＬの外周より大きく開くなるように、またソフトコンタクトレンズ脱却具４の押し当て部４ｂが、まぶた先端１ａ付近を適度に押圧するように各寸法と弾力性を設定しておく。
【００１１】
次に図４に示すようにソフトコンタクトレンズ脱却具４の押し当て部４ｂをまぶた１に添えて適当な力で押圧しながら、つまみ部４ａをつまんでまぶた１を閉ざすと、まぶた先端１ａがソフトコンタクトレンズＬに乗り上がることなくソフトコンタクトレンズＬの端面Ｌａをレンズの中心に向って押し、ソフトコンタクトレンズＬの中心部Ｌｂを浮かすことができる。この浮いた中心部Ｌｂをソフトコンタクトレンズ脱却具４の押し当て部４ｂでつまみ、ソフトコンタクトレンズＬを眼３から簡単に外すことができる。
【００１２】
【発明の効果】
ソフトコンタクトレンズを外す一連の操作で、一貫してソフトコンタクトレンズＬを指２で直接触れることがない為、指２を予め洗浄して油脂分などを十分に取り除く必要がなく、また片手で操作ができる。しかも爪などが伸びていても容易に装着できるので、便利である。
【００１３】
また、ソフトコンタクトレンズ脱却具４は、眼に直接触れないので使用に際して恐怖感がなく、しかも眼３やソフトコンタクトレンズＬを傷めることがない。さらに、構造が簡単であり、柔軟性のある材料を使用して一体成形できるので、生産コストを最小限に押さえることができる。
【図面の簡単な説明】
【図１】本考案のソフトコンタクトレンズ脱却具の斜視図である。
【図２】ソフトコンタクトレンズ脱却具の無負荷の状態の断面図である。
【図３】ソフトコンタクトレンズ脱却具のつまみ部を押した状態の側面図である。
【図４】ソフトコンタクトレンズを外すところの断面図である。
【図５】ソフトコンタクトレンズを指でまぶたの上から外すところの断面図である。
【符号の説明】
１　　　まぶた
１ａ　　まぶた先端
２　　　指
３　　　眼
４　　　ソフトコンタクトレンズ脱却具
４ａ　　つまみ部
４ｂ　　押し当て部
５　　　まつ毛
Ｌ　　　ソフトコンタクトレンズ
Ｌａ　　端面
Ｌｂ　　中心部
【図１】
2004097721.tif 000003
【図２】
2004097721.tif 000004
【図３】
2004097721.tif 000005
【図４】
2004097721.tif 000006
【図５】
2004097721.tif 000007
(57)【要約】【課題】帽子を型崩れなく保護し、少スペースな収納ならびに展示を可能にする事を提供する。【解決手段】ツバ収納部（７）と前頭部収納部（８）よりなるケース（１）と、このケース（１）の後面開口部に開閉可能に設けられたフタ（２）と、ケース（１）とフタ（２）を固定するストッパー機構と、ケース（１）もしくはフタ（２）に設けたフック（５）とでなる事を特徴とする。【選択図】　図１
2004097729.tif 000002
【特許請求の範囲】
【請求項１】
ツバ収納部（７）と前頭部収納部（８）よりなるケース（１）と、このケース（１）の後面開口部に開閉可能に設けられたフタ（２）と、ケース（１）とフタ（２）を固定するストッパー機構と、ケース（１）もしくはフタ（２）に設けたフック（５）とでなる事を特徴とする帽子収納ケース。
【請求項２】
少なくともケース（１）の底面に網部（９）を設けた事を特徴とする請求項１の帽子収納ケース。
【請求項３】
フタ（２）の内側に形状保持機構を設けた事を特徴とする請求項１又は２記載の帽子収納ケース。
【請求項４】
ケース（１）の収納部が複数の帽子を収納出来る構造を設けた事を特徴とする請求項１、２又は３記載の帽子収納ケース。
【請求項５】
ケースが透過性素材によりなる事を特徴とする請求項１、２、３又は４記載の帽子収納ケース。
【発明の詳細な説明】
【０００１】
【発明の属する技術分野】
この発明は、帽子を形良く収納する為のケースに関する物である。
【０００２】
【従来の技術】
従来、帽子は汎用性のあるケース・箱・袋等に収納される技術が知られている。
【０００３】
【特許文献１】
実開昭６０−１５２３２０号
【特許文献２】
実開昭６１−０２９６１２号
【０００４】
【発明が解決しようとする課題】
これは次のような欠点があった。
（イ）帽子の形状とは関係なく、収納するさい無駄に体積を使っていた。
（ロ）帽子の形状を矯正する事が出来ないので型崩れの原因となった。
（ハ）箱のままでは、展示には不向きだった。
（ニ）帽子を箱に入れ棚などに収納する際は、保護と通気性の両立が出来にくかった。
本発明は、これらの欠点を除くために発明されたものである。
【０００５】
【課題を解決する為の手段】
ケース（１）は、ツバ収納部（７）と前頭部収納部（８）よりなる形状で、ケース（１）の後面開口部に開閉可能にフタ（２）を設ける。
ケース（１）とフタ（２）はストッパー部（４）により固定される。
フック（５）は、ケース（１）もしくはフタ（２）の上面に設けられる。
本発明は、以上の構成よりなる帽子収納ケースである。
【０００６】
【発明の実施の形態】
以下、本発明第一の実施の形態を説明する。
（イ）図２のように、本発明はケース（１）とフタ（２）からなる。
ケース（１）は前頭部収納部（８）と、それに連接するようにツバ収納部（７）が設けられ、このケース（１）の後面開口部に開閉可能にフタ（２
）を設ける。
（ロ）ツバ収納部（７）は、帽子（６）のツバ部分を額の円弧に添うよう湾曲し
た形状で維持するように設ける。
（ハ）前頭部収納部（８）は、帽子（６）の後頭部を前頭部側に折り込んだ状態
の形状に近似させるように設ける。
（ニ）フタ（２）の上面にフック（５）を設ける。
但し、ケース（１）に取り付けることも可能である。
（ホ）ケース（１）の開口部下両側にストッパー（４ａ）が設けられ、フタ（２）にはフタ（２）を閉めた状態でストッパー（４ａ）とかみ合う位置にス
トッパー（４ｂ）を設ける。
尚、ストッパー（４ａ）とストッパー（４ｂ）は、着脱が可能な構造とな
っている。
（ヘ）ケース（１）、フタ（２）、ヒンジ部（３）、ストッパー部（４）、及びフック（５）は、素材として形状を保つ物であれば良く、透明性素材を用
いた場合は内部が見え展示用としても使用できる。
本発明は以上の構成によりなっている。
本発明を使用するときは、ケース（１）の後面開口部より、図３のように後頭部を内側に折り畳んだ帽子（６）を入れ、フタ（２）によりケース（１）を封じる。
ケース（１）とフタ（２）は、ストッパー（４）により固定される。
ケース（１）あるいはフタ（２）に設けられたフック（５）により壁面などに吊るす事が出来る。
尚、本実施の形態では、ケース（１）とフタ（２）を上部で連結しているが、図５に示すように下で連結しても良い。
【０００７】
以下、本発明第二の実施の形態を図６をもちいて説明する。
図６は底面図であり本発明は、ケース（１）の底面及びフタ（２）の底面が網部となっている、これにより通気性を保持することが出来る。
このさい網部としては、通気用の穴が複数あり帽子収納に耐えられる物であれば何でも良い。
【０００８】
以下、本発明第三の実施の形態を図７をもちいて説明する。
本発明は、フタ（１０）の内側に湾曲形状の凸部を設けたものである。
フタ（１０）の凸部は、帽子（６）の後頭部を内側に折り畳んだ形状を維持するように、背部より押し込んだ形で保持する。
【０００９】
以下、本発明第四の実施の形態を図８をもちいて説明する。
本発明は、ケース（１）の収納部が複数の帽子を収納出来る構造となっている
。
これにより、図に示すように、後頭部を折り込んだ状態の帽子（６）を順次重ね合わせて収納することが可能である。
【００１０】
【発明の効果】
本発明を使用することによって、帽子（６）を理想的な形状で収納するので、型崩れを防ぐと共にホコリによる汚れ等から保護する事が出来る。
さらに、最小限のスペースで帽子を収納する事が出来るため、収納時には余計な体積を使わなくてすむ。
また、フック（５）を使い壁面等に吊るす事で、棚等に収める以外に新たな収納スペースの確保が出来る。
ケース（１）及びフタ（２）に網部（９）を設けたことで、通気性が向上し使用直後の蒸れを解消出来る。
フタ（２）に凸部を設け、帽子の背部より押し込んだ形で保持する事で、帽子の形状を矯正してより理想的な形を保つ事が出来る。
帽子を複数収納出来る構造にした場合は、帽子を順次重ね合わせる事で、さらに合理的に多くの帽子を収納する事が出来る。
透過性素材を用いることで、ケースに収めながらも中が確認出来るので、帽子を保護し収納だけでなく展示を可能にした。
【図面の簡単な説明】
【図１】本発明の斜視図
【図２】本発明の実施例を示す側面図
【図３】本発明の使用状態を示す断面図
【図４】本発明の背面図
【図５】本発明の他の実施例を示す側面図
【図６】本発明の他の実施例を示す底面図
【図７】本発明の他の実施例を示す断面図
【図８】本発明の他の実施例を示す断面図
【符号の説明】
１　　ケース
２　　フタ
３　　ヒンジ部
４；４ａ；４ｂ　ストッパー部
５　　フック
６　　帽子
７　　ツバ収納部
８　　前頭部収納部
９　　網部
【図１】
2004097729.tif 000003
【図２】
2004097729.tif 000004
【図３】
2004097729.tif 000005
【図４】
2004097729.tif 000006
【図５】
2004097729.tif 000007
【図６】
2004097729.tif 000008
【図７】
2004097729.tif 000009
【図８】
2004097729.tif 000010
(57)【要約】【課題】通常はバッグ（手提げ）として使用し、災害が発生した際、防護用の保護帽として使用できるようにしたバッグを提供する。【解決手段】バッグ主体１の内側面に内部材６を取り付け、バッグ主体１の縁部に吊り下げ材８、８を介して把手４、４を設けて、非常時に保護帽として使用する手段を備えたことを特徴とする。【選択図】　図１
2004097751.tif 000002
【特許請求の範囲】
【請求項１】
バッグ主体の内側面に内部材を取り付け、バッグ主体の縁部に、前記側部を構成し、吊り下げ材を介して把手を設けることによって、非常時に保護帽として使用する手段を備えたことを特徴とするバッグ。
【発明の詳細な説明】
【０００１】
【発明の属する技術分野】
本発明は、通常はバッグとして使用し、災害時等の非常時には保護帽になるバッグに関するものである。
【０００２】
【従来の技術】
従来、バッグは物を入れて持ち運ぶための目的、及び機能を備えたもので、多くのデザインの物が実用に供せられている。
【０００３】
又、保護帽（ヘルメット）は建築現場や、交通関係の職場その他、地震や緊急の災害時等に着用するもので、強化プラスチック等の硬質の素材を用いて形成され、非常時に頭部を保護するために実用に供せられているが、常に一定の形状を維持するように構成されている。
【０００４】
更に、布の間に綿を入れ、二つ折りにしてその一辺を逢着し、紐を設けた物が太平洋戦争当時から防空ずきんと呼ばれ実用に供せられ、現在は防災ずきんの名によって学童の間で実用に供せられている。
【０００５】
【発明が解決しようとする課題】
上記従来技術に依れば、バッグは通常物を入れて持ち運ぶ機能のみである。
【０００６】
又、保護帽（ヘルメットの名称で呼ばれ）硬質の素材を用いて形成されているため、一定の形状を維持し続け、変形することがない。
このため、着用し使用状態に於いては、打撃や衝撃等から頭部を守り、安全に作業をすることが可能であるが、不使用時、特に携行時に於いては、頭部を包み込むに充分な大きさと形状から成るため、嵩張り携行し難い。
【０００７】
更にこの防災ずきんは、クッション性の中綿を逢着した長方形の中央付近で折り曲げ一辺を逢着した形状であるため、着用時肩まで覆う形状であるため、大型になり携行が不便である。
【０００８】
従って、本発明が解決しようとする課題は、非常の場合に即座に使用でき、且つ、携行が便利で、携行時のファッション性を加味した安全帽を提供することである。
【０００９】
【課題を解決するための手段】
本発明は、バッグ主体１の内側面に内部材６を取り付け、バッグ主体１の縁部に吊り下げ材８、８を介して把手４、４を設けて、非常時に保護帽として使用する手段を備えたものである。
【００１０】
【発明の実施の形態】
やや柔軟性を有する素材を用いて、略半球の容器状のバッグ主体１の側部２、２を設けることによって、略長方形のバッグ主体１を形成するように構成されている。
【００１１】
バッグ主体１の内周縁部付近と内部材６を固着部材を介して固着し、バッグ主体１と内部材６を安定的に固着することによって保護帽として着用する場合、頭部周胴とバッグ周胴とを安定的に保持するようになっている。
【００１２】
袋状に形成された内部材６は、保護帽として着用するにあたり、内部材６を顔の左右に振り分けて顎の下で固定することも可能である。
【００１３】
又、内部材６の端部を折り返して開口部５を設けた把手４に固着してあり、この場合、把手４、４はバッグ主体１をバッグとして使用するにあたり、手提げ部分として使用可能であることが望ましく、開口部５はその際に手指等を挿入する等が可能な大きさである。
【００１４】
又、紐又は糸等のヒンジ部材を用いて綴じることによって、屈曲し易い部分を形成することも可能である。
【００１５】
合成樹脂等の若干の弾発性を有し、且つ衝撃を緩和する素材から成る略半球状のバッグ主体１の側部２、２の端部から、他の端部に達するヒンジ効果をもたせるための肉薄部を形成することによって、バッグ主体１は幅の狭い容器状に形成される。
【００１６】
更に、網又は布又は皮又は合成樹脂等の素材から成る袋状の内部材６の側部に切り裂きを設け、吊り下げ材８、８をバッグ主体１の内部に添わせて装着してあり、吊り下げ材８、８はバッグ主体１を頭部に被る場合、顔の部分と後頭部から首筋の位置に成るように設定してある。
【００１７】
この場合、バッグ主体１の内面に内部材６を装着する際、紐３等を用いて、バッグ主体１の縁部付近に綴じつけて装着してもよく、見映えよく仕上げることが好ましく、バッグ主体１の外面に美しい絵柄や紋様又はキャラクター等を設けることも可能で、この場合、絵柄又は紋様の方向が上下を問わない物であっても可能である。
【００１８】
又、開口部５を設けた把手４を内部材６の端部に設けてあり、この時、内部材６の端部を開口部５を挿通して折り返し、逢着又は接着又は溶着等によって設ける事ができる。
【００１９】
更に、メッシュ状の素材又は布、又は皮又は合成樹脂シート等、嵩張らない素材を用いて袋体を構成し、バッグ主体の中に収納し、緊急時バッグ主体を保護帽として使用するに際し、バッグ主体内に収納又は保管されていた内容物を袋体に移し替えることが出来るように構成することも出来る。
【００２０】
従って、非常の場合に即座に使用でき、且つ常に便利に携行でき、携行時のファッション性を加味し、安全帽として使用できるバッグを提供するものである。
【００２１】
【発明の効果】
本発明は上記の如くであるから、携帯が便利で常に携行し、非常時には即座にに保護帽として使用でき、ファッション性を兼ね備えたバッグを提供することが出来るものである。
【図面の簡単な説明】
【図１】本発明の斜視図である。
【図２】本発明の正面図である。
【図３】図２に於けるＩＩＩ−ＩＩＩ断面図である。
【図４】バッグとしての本発明の使用状態を示した図である。
【図５】保護帽としての本発明の使用状態を示した図である。
【符号の説明】
１　バッグ主体　　　２　側部　　　　３　紐　　　　４　把手
５　開口部　　　　　６　内部材　　　７　縁部　　　８　吊り下げ材
【図１】
2004097751.tif 000003
【図２】
2004097751.tif 000004
【図３】
2004097751.tif 000005
【図４】
2004097751.tif 000006
【図５】
2004097751.tif 000007